(57)【要約】      （修正有）【課題】卓球ボールを自動で回収し回収の労力を解消し運動の効率化を計る。【解決手段】本卓球ボール（以下ボール）回収装置は横移動パイプ１１でボールを移動し、ボール受カゴ１３の中でばらし、スクリュー１５にてボールを整列しパイプ１６に送り込み、エアーバキューム装置１８によりボール吸引口エルボー１９より吸引されボール縦送りパイプ２０を上昇し、ボール溜めパイプ２２にて排出待ちをする排出モータ２３よりボール排出アーム２４を回転し排出弁２５よりボールを排出する。【選択図】図１
2012016553.tif 000002
【特許請求の範囲】
【請求項１】
球受けアミより横移動パイプによりボールを卓球台横に移動し駕篭に回収することが出来る。
【請求項２】
球受け駕篭によりボールが滞留してもぼーるばらしスクリューにて整列し次の工程に送り出す事が出来る。
【請求項３】
エアーバキュームファンの強弱の調整は上部、下部エアー調節口によりボールの吸引数とスピードが調整される、バキュームよりボールは縦パイプ２０００ｍｍ以上引き上げることができる。
【請求項４】
ボール排出弁はぼーるが排出弁に無い場合にはボール排出アームはボールが排出弁を開く事なく回転しバキュームの力を落とさずにボールを吸引することができる、ボールが排出弁に来ると排出アームがボールを押し出すと同時にボール排出弁を押上げボールを外に押し出すボール排出弁は自重とバキュウムでとじ繰り返し同じ動作を行う。
【発明の詳細な説明】
【発明詳細な説明】
【技術分野】
【０００１】本発明は卓球装置に関しラージボール、硬式ボールの移動回収装置に関するものである。
【背景技術】
【０００２】硬式ボールに付いては現在は球出し機と一体の機械有る。【０００３】ラージボールは球の強度が弱く移動装置の製作が出来ず現在の所ない。
ラージボール、硬式ボール横縦移動装置が現在の所ない。
【発明解決しようとする課題】
【０００４】卓球練習は球出し機にて出されたボールを打ち球受けアミにて回収し人手にて球出し機に供給する作業を行っている、この作業を自動化することにより練習の効率が上がる。
球受けアミよりボールを受け取りボール受け駕篭にて整列しボール吸引口より縦パイプを上昇しボール排出弁にて取り出し、球出し機に供給する。
エアーバキュームファンによりボールの横と縦の移動距離が大幅に拡大される。
【課題を解決するための手段】
【０００５】  本発明者は従来の装置ではラージボールの移動は強度が弱くボールを２ｍ上昇させることが出来ず問題が有ると思われたが、エアーバキューム装置によりエアーにてボールを上昇移動することを確認した。
【０００６】  そこでボールの移動は球受けアミにパイプを取り付け受け径は１２０φＬボーを利用し１００φのパイプを傾斜５度とし１０００ｍｍさせる。
【０００７】  横移動後の受けは丸受け容器（３００φ３００Ｈ）にて受け取り中心の底にはボール整列用のモーターを設け整列用羽根を取り付ける、羽根の形状は高さ１４０ｍｍ１０φの木製柱上部に横通しアーム（中心に長さ５０ｍｍ巾５ｍｍ厚み１．５ｍｍしなりが有るもの）を取り付け、さらに１２０ｍｍの位置に斜めに髭状アームを２本取り付ける（１８０度の位置に１本は２０度長さ１２０ｍｍ巾５ｍｍ厚み１．５ｍｍ１本は４５度長さ１３０ｍｍ巾３ｍｍ厚み１ｍｍしなりが有るもの）
【０００８】  丸受け容器から整列されたボールは横送りパイプ移動しボール吸引口より吸引され縦送りパイプを上昇しボール受けパイプをへてボール排出弁にて押し出される、ボール排出アームはボールの形状に合わせ面（厚み１ｍｍ）を取っておりボールの弱い部分を面でカバーし取り出すことが出来る。（ラージボール４４ｍｍ硬式ボール４０ｍｍ  送りパイプ５０〜６０φ）
【発明を実施するための形態】
【０００９】  以下に添付図面を参照し実施形態例を挙げて発明の実施形態を具体的かつ詳細を説明する。
【実施形態例】
本実施例は本発明に依る卓球ボール回収装置の実施形態の一例です。
図１は本実形態の卓球ボール回収装置の全体構成を示す側面図。
図２は卓球ボールを排出部を示す斜視図。
図３は卓球ボールを排出方法を示す正面図。
【００１０】  図１に示す動作、球受けアミより１１横移動パイプを取り付け１２高さ調節にて５度の角度を保、ボールは球受けアミより１１を通り１３丸受け容器に入る１４モーターの１５ボール整列羽根にてボールを整列、ボールを１６横送りパイプに送りボールは１７をを通り２８のエアーバキュウムファンにて吸引される、１８と２９エアー調節口にて強弱調節が行える、１９Ｌボーは水平９０度回転が行える、ボールは１９ボール吸引口を通り２０縦送りパイプを通過し２１Ｌボーを２２ボール溜めパイプに受け取られる、２３排出モーターと２４ボール排出アームは常に回転しており１秒１〜２回転している、２５排出弁にボールが無い場合は２４ボール排出アームは２５は移出弁を開かずアーム部分の隙間２ｍｍを通り抜ける為弁は開かずバキュウムは強くボールを引き上げる事が出来る、２５排出弁に来ている場合は２４排出アームがボールの側面を押し出しながらボールが２５排出弁を押し開きボールを外に排出します、排出口の寸法は４６φ程度なので排出時にバキュームの力があまり損なわれない。
【００１１】  図２よる動作２８エアーバキュームにて吸引されたボールは２５ボール排出弁に吸い込まれ２３排出モーターにて２４ボール排出アームを回転しボールを押し２６丁番と２７パッキンを開き２５ボール排出弁をボールで押しながら弁を開き外に排出する。
【００１２】  図３−１）による動作２５ボール排出弁内にボールが無い場合は２４ボール排出アームは２５排出弁と２６丁番と３７パッキンを開く事なく回転する、そのことによりエアーバキュームの吸引力を落とす事なくボールを吸引することが出来る。
【００１３】  ず３−２）よる動作２５ボール排出弁内にボールが有る場合は２４排出アアームはボールを押しだしながら２５排出弁と２６丁番と２７パッキンを開きボールを押押し出し球出し機に送り込む、ボールが２５排出弁を通過する時はボールサイズより３ｍｍ程度大きいが排出時のバキュウムロスが最小限となる、さらにボールが排出された瞬間に２６排出弁は自重にて瞬時に閉じる為バキュウムロスが最小限となる。
【図面の簡単な説明】
【図１】実施形態例の卓球ラージボール、硬式ボール（以下卓球ボール）搬送送の全体構成を示す側面図である。（Ａ  Ａ側面図）
【図２】卓球ボール排出装置の構成を示す模式図である。
【図３】１）卓球ボールがない場合の球排出アームの動作を示す様式図である。
【図３】２）卓球ボールが球排出アームに排出される動作を示す様式図である。
【符号の説明】１０  実施形態例の卓球ボール搬送装置
１１  球受けアミより卓球ボール横移動パイプ
１２  角度調節装置
１３  卓球ボール受けカゴ
１４  回転モーター
１５  卓球ボールばらしスクリュー
１６  卓球ボール横送りパイプ
１７  パイプ長さ調節部
１８  下部エアー調節口
１９  卓球ボール吸引口エルボー
２０  卓球ボール縦送りパイプ
２１  横送りエルボー
２２  卓球ボール溜めパイプ
２３  排出モーター
２４  卓球ボール排出アーム
２５  卓球ボール排出弁
２６  丁番
２７  パツキン
２８  エアーバキュームファン
２９  上部エアー調節口
３０  縦てパイプ取り付け架台
３１  ２０固定部
３２  ２０固定部
３３  移動キャスター
【図１】
2012016553.tif 000003
【図２】
2012016553.tif 000004
【図３】
2012016553.tif 000005